(57)【特許請求の範囲】
【請求項１】
回転体収納凹部を有するケースと、前記ケースの回転体収納凹部内に収納される回転体本体部の上面から軸部を突出してなる回転体と、前記回転体本体部を収納したケースの上部を覆うカバーと、前記ケースの回転体収納凹部の内底面と回転体本体部の間に設置され回転体本体部の回転によって出力を変化する検出手段とを具備する回転式電子部品において、
前記カバーは金属板製であって、前記回転体の軸部を回動自在に軸支する軸支部を設けてなる上面板と、上面板の外周辺の部分を下方に折り曲げて形成される互いに対向する一対の側面板とを具備して構成されており、
一方前記ケースの回転体収納凹部の周囲に設けた側壁部の内、前記カバーの一対の側面板に覆われる一対の側壁部の前記回転体本体部の外周面に対向する位置に、側壁部を貫通する側壁貫通部を設け、
さらに、前記カバーの一対の側面板の前記ケースの側壁貫通部を覆う位置に、これら側面板の一部を外方向に向けて突出変形させることで回転体本体部逃げ部を形成したことを特徴とする回転式電子部品。
【請求項２】
請求項１に記載の回転式電子部品において、
前記回転体本体部逃げ部は、前記カバーの上面板から前記側面板を折り曲げた折り曲げ辺上に設けたスリット状の開口部の下部に形成されていることを特徴とする回転式電子部品。
【請求項３】
請求項１又は２に記載の回転式電子部品において、
前記回転体本体部逃げ部は、側面板の一部を外方向に向けて平行移動するように突出変形させることで形成されていることを特徴とする回転式電子部品。
【請求項４】
請求項１又は２又は３に記載の回転式電子部品において、
前記カバーの前記回転体本体部上面の軸部を突出した周囲に、前記カバーの上面板の下面の軸支部の周囲に当接するカバー当接部を設け、
さらに前記カバーの上面板の下面に、前記回転体本体部の外周のケース載置部の上面に形成したクリック部に弾接してクリック感触を生ずる金属製のクリック板を設置し、このクリック板は帯状であって、前記カバーの上面板の前記側面板を設けていない一辺側の下面に電気的に接続した状態で取り付けられることを特徴とする回転式電子部品。
【発明の詳細な説明】
【技術分野】
【０００１】
本発明は、回転式可変抵抗器や回転式スイッチ等の回転式電子部品に関するものである。
【背景技術】
【０００２】
従来の回転式電子部品は、例えば図１０，図１１に示すように、回転体収納凹部５６１を有する矩形箱型のケース５６０と、ケース５６０の回転体収納凹部５６１内に収納される回転体本体部５３１の上面から軸部５３７を突出してなる略円柱状の回転体５３０と、前記回転体本体部５３１を収納したケース５６０の上部を覆うカバー５１０と、前記ケース５６０の回転体収納凹部５６１の内底面と回転体本体部５３１の間に設置され回転体本体部５３１の回転によって電気的出力を変化する摺動子５５０と、前記カバー５１０の上面板５１５の下面と前記回転体本体部５３１の上面間に設置され回転体本体部５３１の上面に形成したクリック部５３５に弾接してクリック感触を生ずるクリック板５２２とを具備して構成されている。クリック板５２２は図１１に示すように、回転体本体部５３１の周囲を囲むように、略リング形状に形成されている。
【先行技術文献】
【特許文献】
【０００３】
【特許文献１】特開２００５−７８８４４号公報
【発明の概要】
【発明が解決しようとする課題】
【０００４】
上記従来の回転式電子部品には以下のような問題点があった。
〔１〕図１０に示すように、カバー５１０の矩形状の上面板５１５の対向する一対の外周辺には下方に直角に折り曲げられて垂下する一対の側壁部５１１，５１１が設けられ、その下端部からはこの回転式電子部品を主回路基板等の他の部材に取り付けるための舌片状の取付部５１３，５１３が突設されている。そして取付部５１３，５１３間の幅寸法は、これを取り付ける主回路基板などとの関係から設計上決まっており、これによって前記側壁部５１１，５１１に当接する側のケース５６０の側壁部間の幅寸法（回転体収納凹部５６１の幅寸法）と、ケース５６０内に収納される回転体５３０の回転体本体部５３１の外径寸法も決定される。そして取付部５１３，５１３間の幅寸法が小さいと、回転体収納凹部５６１の内径寸法も小さくなり、このため摺動子５５０の外径寸法や、摺動子５５０が摺接する回路基板５６５上の摺接パターンの外径寸法も小さくなり、その分摺接パターンからの電気的出力の分解能が低下し、また摺接パターンの本数を多く形成することができなくなる。これらのことを逆に言い換えれば、回転式電子部品の小型化が図りにくくなる。
【０００５】
〔２〕回転体５３０は、カバー５１０の軸支部５１２によって軸支される軸部５３７の部分と、ケース５６０の穴５６４によって軸支される軸突起５３６の部分の２か所において軸支されるので、回転体５３０を回転する際に、トルクムラが生じる恐れがあった。即ち回転体５３０はその上下の２か所で軸支され、しかも軸支される部品はそれぞれ別部品（カバー５１０とケース５６０）なので、カバー５１０とケース５６０間の組立誤差などによって軸支部５１２の中心軸と穴５６４の中心軸とがぴったり一致しない。このため上述のように回転体５３０を回転する際に、トルクムラを生じる恐れがあった。
【０００６】
〔３〕回転体５３０は合成樹脂製であり、またケース５６０も合成樹脂製である。このため回転体５３０を回転した際、これ（軸突起５３６の部分）に当接しているケース５６０（この例ではケース５６０内に設置している合成樹脂製の回路基板５６５）との間に静電気が発生する。この静電気が発生する位置は、回路基板５６５上に形成した図示しない摺接パターンに接近した回路基板５６５上（同一面上）の位置なので、これら摺接パターンに前記静電気が入り込み易く、ノイズの原因になっていた。
【０００７】
〔４〕この回転式電子部品は、ケース５６０の回転体収納凹部５６１内に、リング形状のクリック板５２２を収納する構造なので、前記取付部５１３，５１３間の幅寸法が小さいと、回転体収納凹部５６１の内径寸法も小さくなり、このためクリック板５２２の外径寸法は回転体収納凹部５６１の内径に規制されて小さくなる。一方クリック板５２２の幅寸法はその強度を所定値以上に保つ必要があるので所定寸法以上必要であり、外径が小さくなった分だけ内径も小さくしなければならない。一方クリック板５２２の中央に通す回転体５３０の軸部５３７の外径寸法が設計上決まっていると、結局、回転体本体部５３１のクリック部５３５を設けたその上側部分のカバー当接部５３９の直径（すなわちクリック板５２２の内径寸法とほぼ同一の寸法）が小さくなり、このカバー当接部５３９のリング状の上面の半径方向の幅寸法Ｌ１が小さくなる。回転体５３０の上方向への抜け防止は、このカバー当接部５３９の上面をカバー５１０の軸支部５１２周囲の下面に当接することによって行っているが、カバー当接部５３９の上面の幅寸法Ｌ１が小さくなると、回転体５３０の抜け防止強度が低下してしまう。同様に回転体５３０下面の軸突起５３６の直径寸法は、摺動子５５０の中央を貫通する構造上、小さい。このため軸突起５３６に設ける段差部５４１の部分の半径方向の長さ寸法（幅寸法）も小さくなり、回転体５３０を上から押圧した際の破壊防止強度（押圧破壊防止強度）も低い。
【０００８】
本発明は上述の点に鑑みてなされたものでありその目的は、回転体の回転によって出力を変化する検出手段の機能を低下することなく小型化を図ることができる回転式電子部品を提供することにある。
【０００９】
さらに本発明の目的は、回転体の回転時にトルクムラが生じず、またその出力にノイズが入りにくく、また回転体の抜け防止強度と押圧破壊防止強度とを強くすることができる回転式電子部品を提供することにある。
【課題を解決するための手段】
【００１０】
本願請求項１に記載の発明は、回転体収納凹部を有するケースと、前記ケースの回転体収納凹部内に収納される回転体本体部の上面から軸部を突出してなる回転体と、前記回転体本体部を収納したケースの上部を覆うカバーと、前記ケースの回転体収納凹部の内底面と回転体本体部の間に設置され回転体本体部の回転によって出力を変化する検出手段とを具備する回転式電子部品において、前記カバーは金属板製であって、前記回転体の軸部を回動自在に軸支する軸支部を設けてなる上面板と、上面板の外周辺の部分を下方に折り曲げて形成される互いに対向する一対の側面板とを具備して構成されており、一方前記ケースの回転体収納凹部の周囲に設けた側壁部の内、前記カバーの一対の側面板に覆われる一対の側壁部の前記回転体本体部の外周面に対向する位置に、側壁部を貫通する側壁貫通部を設け、さらに、前記カバーの一対の側面板の前記ケースの側壁貫通部を覆う位置に、これら側面板の一部を外方向に向けて突出変形させることで回転体本体部逃げ部を形成したことを特徴とする回転式電子部品にある。
【００１１】
本願請求項２に記載の発明は、請求項１に記載の回転式電子部品において、前記回転体本体部逃げ部は、前記カバーの上面板から前記側面板を折り曲げた折り曲げ辺上に設けたスリット状の開口部の下部に形成されていることを特徴とする回転式電子部品にある。
【００１２】
本願請求項３に記載の発明は、請求項１又は２に記載の回転式電子部品において、前記回転体本体部逃げ部は、側面板の一部を外方向に向けて平行移動するように突出変形させることで形成されていることを特徴とする回転式電子部品にある。
【００１４】
本願請求項４に記載の発明は、請求項１又は２又は３に記載の回転式電子部品において、前記カバーの前記回転体本体部上面の軸部を突出した周囲に、前記カバーの上面板の下面の軸支部の周囲に当接するカバー当接部を設け、さらに前記カバーの上面板の下面に、前記回転体本体部の外周のケース載置部の上面に形成したクリック部に弾接してクリック感触を生ずる金属製のクリック板を設置し、このクリック板は帯状であって、前記カバーの上面板の前記側面板を設けていない一辺側の下面に電気的に接続した状態で取り付けられることを特徴とする回転式電子部品にある。
【発明の効果】
【００１５】
請求項１に記載の発明によれば、ケースの一対の側壁部に側壁貫通部を設けたので、その分回転体本体部の外径寸法を大きくでき、ケースの回転体収納凹部の内底面と回転体本体部の間の検出手段を配置する空間を広くでき、検出手段の機能をより高度化・複雑化することができる。例えばケースの回転体収納凹部の底面に設ける摺接パターンと、回転体本体部の下面に取り付けて前記摺接パターンに摺接する摺動子とによって検出手段を構成する場合、摺接パターンの形成面を大きくすることができ、同時に外径寸法を大きくした回転体本体部の下面に取り付ける摺動子の外径寸法も大きくでき、その分摺接パターンからの出力の分解能を向上させることができ、また同心円状の複数本の摺接パターンの本数を増加させることも可能になる。逆に言い換えれば、回転式電子部品の小型化が図れる。
【００１６】
請求項１に記載の発明によれば、ケースの一対の側壁部に側壁貫通部を設けた上に、さらにカバーの側面板に回転体本体部逃げ部を形成したので、回転体本体部の外径寸法をさらに大きくでき、ケースの回転体収納凹部の内底面と回転体本体部の間の検出手段を配置する空間をさらに広くでき、検出手段の機能をさらに高度化・複雑化することができる。逆に言い換えれば、回転式電子部品のさらなる小型化が図れる。
【００１９】
請求項４に記載の発明によれば、帯状のクリック板をカバーの上面板の側面板を設けていない一辺側の下面に（その一辺に沿うように）設置したので、側面板間の幅寸法が小さくなっても、このクリック板を設置することを原因として上記〔４〕で述べたように回転体本体部のカバー当接部の直径を小さくする必要はなくなり、カバー当接部の幅寸法を大きく保てる。これによって回転体の抜け防止強度を強く維持できる。また側面板間の幅寸法が小さくなってもクリック板の幅寸法を小さくする必要がないので、クリック板の強度を強く保てる。
また金属製のクリック板を金属製のカバーに電気的に接続した状態で取り付けるので、クリック板の近傍に位置している、前記回転体のケース載置部と前記ケースの回転体載置部との間の摺動部分によって生じる静電気はクリック板に入り込み易くなる。このため静電気が検出手段へ侵入することをさらに確実に防止でき、ノイズの発生をさらに確実に予防できる。
【図面の簡単な説明】
【００２０】
【図１】回転式電子部品１の縦断面図（図２のＣ−Ｃ断面図）である。
【図２】回転式電子部品１の斜視図である。
【図３】回転式電子部品１の分解斜視図である。
【図４】回転式電子部品１を下側から見た分解斜視図である。
【図５】ケース１０を図３とは異なる方向から見た斜視図である。
【図６】フレキシブル回路基板３０とこれに接続する端子板４５を示す平面図である。
【図７】摺動子８０を回転体５０に取り付ける取付方法説明図である。
【図８】カバー１３０−２の斜視図である。
【図９】カバー１３０−３の斜視図である。
【図１０】従来の回転式電子部品の縦断面図である。
【図１１】従来の回転式電子部品の縦断面図（図１０とは９０°回転した位置での縦断面図）である。
【図１２】図１２（ａ）は軸部５３の中空部６７を設けた部分での横断面図、図１２（ｂ）〜（ｄ）はその他の実施形態の同一部分での横断面図である。
【発明を実施するための形態】
【００２１】
以下、本発明の実施形態を図面を参照して詳細に説明する。
図１〜図４は本発明の１実施形態に係る回転式電子部品１を示す図であり、図１は縦断面図（図２のＣ−Ｃ断面図）、図２は斜視図、図３は分解斜視図、図４は下側から見た分解斜視図である。また図５はケース１０を図３とは異なる方向から見た斜視図、図６はフレキシブル回路基板３０とこれに接続する端子板４５を示す平面図である。これらの図に示すように回転式電子部品１は、ケース１０の回転体収納凹部１３内に、摺動子８０を取り付けた回転体５０の回転体本体部５１を収納し、且つその上にクリック板１００を設置し、さらにその上にカバー１３０を被せて構成されている。以下各構成部品について説明する。なお以下の説明において、「上」とはケース１０からカバー１３０を見る方向をいい、「下」とはその反対方向をいうものとする。
【００２２】
ケース１０は、合成樹脂製のケース本体１１の内部に回路基板（以下「フレキシブル回路基板」という）３０と複数本（６本）の端子板４５とをインサート成形して構成されている。ケース本体１１は略矩形箱型に形成され、その上面中央に略円形の回転体収納凹部１３を設けている。ケース１０の回転体収納凹部１３を囲む４辺からなる側壁部１５の上面の所定の位置（下記する側壁貫通部２３を形成していない対向する一対の側壁部１５の上面）には上方向に突出する突起状の係止部１７が設けられ、係止部１７を設けた１つの側壁部１５の両角部の近傍には略矩形状に薄く凹むクリック板挿入部１９が設けられている。各クリック板挿入部１９の底面には略矩形状の薄い凹部２１が形成されている。ケース１０の回転体収納凹部１３を囲む４辺の側壁部１５の内の端子板４５を突出していない対向する一対の側壁部１５の中央部分にはその上面から略矩形で凹状に凹む側壁貫通部２３が形成されている。回転体収納凹部１３の内周面の底辺部分は階段状に突出しておりその上面は回転体載置部２５となっている。なお側壁貫通部２３の底面は回転体載置部２５の面よりも低くしている。回転体載置部２５は、ケース１０の端子板４５を突出した辺に対向する反対側の辺と、その両側の辺の内の前記側壁貫通部２３を除く部分に形成されている。
【００２３】
ケース１０の回転体収納凹部１３の底面には、フレキシブル回路基板３０がその上面を露出して設置されている。フレキシブル回路基板３０の上面には同心円状に４本の摺接パターン３１が形成されており、それらからフレキシブル回路基板３０の１辺の外周近傍まで引き出された端子接続パターン３３（図６参照）上に各端子板４５の一端部が当接・接続され、この当接接続部の上下にケース１０を成形することで各端子板４５をケース１０に取り付けている。各端子板４５はケース１０の外部に突出した部分で下方向に略直角に折り曲げられている。
【００２４】
回転体５０は合成樹脂の一体成形品であり、略円板状の回転体本体部５１の上面中央から、回転体本体部５１の外径寸法よりもその外径寸法の小さい略円柱状の軸部５３を突出して構成されている。回転体本体部５１は、上から下に向かって階段状に３段、その径を大きくして構成されており、最も上の段がカバー当接部５７、その下の２つの段が合わせてケース載置部５５となっている。すなわちケース載置部５５は、回転体本体部５１の外周にリング状に張り出すように設けられている。ケース載置部５５の下側の段の上面には突起からなりその上面が１つ上の段の上面に至る厚みのストッパ部５８が設けられている。ケース載置部５５の上側の段の上面からストッパ部５８の上面にわたって凹状のクリック部５９が形成されている。回転体本体部５１の下面には薄板状に突出する摺動子取付部６１が形成されており、この摺動子取付部６１には摺動子取付用の小突起６３が４本形成されている。また摺動子取付部６１の所定位置には矩形状の小突起からなる保護突起６４が１つ形成されている。保護突起６４は回転体５０にその上側から強い衝撃が印加されたときに摺動子８０がフレキシブル回路基板３０側に移動して摺動子８０が潰されないように保護する念のためのものである。回転体５０の内部の中央には中空部６７が形成されている。中空部６７は回転体本体部５１の下面中央から軸部５３内に至るまで形成されている。中空部６７は略円柱形状（正確には上方向に向かってその内径を小さくしていく円錐台形状）であり、軸部５３の中空部６７が形成された部分の横断面はリング形状であって、その半径方向の厚み寸法が各部で略均一になるように形成されている。
【００２５】
摺動子８０は２枚であり、何れも弾性金属板製で、矩形状の基部８７の１辺から２本と３本の摺接部８１を突出し、また基部８７の所定位置に小孔からなる取付部８５を２つずつ形成して構成されている。
【００２６】
クリック板１００は弾性金属板を略帯状の直線状に形成して構成されており、その中央には下方向に突出するように湾曲する弾接部１０１が設けられ、その両端近傍には小孔からなる一対のカバー取付部１０３が設けられている。
【００２７】
カバー１３０は金属板製であり、略矩形状の上面板１３１の対向する一対の外周辺に接続されている側面板１３３，１３３を略垂直下方に屈曲して構成されている。上面板１３１の中央には上方向に突出する円筒形状の軸支部１３５が形成されている。また上面板１３１の前記ケース１０の一対の係止部１７に対向する位置にはそれぞれこれら係止部１７を嵌合する小孔からなる挿入係止部１３７が形成されている。また上面板１３１の前記クリック板１００の一対のカバー取付部１０３に対向する位置にはそれぞれこれらカバー取付部１０３に挿入される下方向に突出する取付部１３９が形成されている。取付部１３９は下方向に凸状に突出するために上面板１３１の上面側では凹部となっている。上面板１３１の所定位置には周囲をコ字状に切り欠いて舌片状となった部分を根元から下方向に９０°折り曲げてなるストッパ当接部１３８が設けられている。
【００２８】
側面板１３３は略矩形状であって、その下辺の中央には下方向に向かって舌片状に突出する他部材取付部１４１が設けられ、またその下辺の左右両側には下方向に向かって舌片状に突出するケース取付部１４３が設けられている。上面板１３１から一対の側面板１３３を折り曲げたそれぞれの折り曲げ辺の略中央にはスリット状の開口部１４５が設けられ、これら開口部１４５の下部には側面板１３３の一部を略矩形状に外方向に向けて平行移動するように突出変形してなる回転体本体部逃げ部１４７が形成されている。従って側面板１３３をその内側面側から見た場合、回転体本体部逃げ部１４７を設けた部分は、図４に示すように、凹部になる。
【００２９】
次に回転式電子部品１の組み立て方法を説明する。まず予め回転体本体部５１の下面に一対の摺動子８０を取り付ける。図７は摺動子８０を回転体５０に取り付ける取付方法説明図である。同図に示すように帯状金属板１５０を打ち抜くことで、一対の摺動子８０を夫々対向する一対の送り板部１５１に接続部１５３にて連結した状態に形成する。この状態で両摺動子８０の面上に回転体５０の回転体本体部５１の下面を配置し、回転体５０の各小突起６３を摺動子８０の取付部８５に挿入する。このとき更に、各摺動子８０の対向している辺の端部（対向する位置）から突出している突出部８９の間に、回転体５０の保護突起６４（図７に点線で示す）が位置する。そして各小突起６３の先端を熱カシメした後、一対の接続部１５３を切断する。これによって摺動子８０の回転体５０への取り付けが完了する。一方カバー１３０の上面板１３１の下面にクリック板１００を配置し、その際カバー１３０の一対の取付部１３９をクリック板１００の一対のカバー取付部１０３に挿入し、各取付部１３９の先端をかしめることによって、カバー１３０の上面板１３１の下面にクリック板１００を電気的に接続した状態で取り付ける。
【００３０】
そして摺動子８０を取り付けた回転体５０の回転体本体部５１をケース１０の回転体収納凹部１３内に収納し、その際ケース載置部５５の下面をケース１０の回転体載置部２５の上面に当接・載置する。
【００３１】
次に前記ケース１０の上にカバー１３０を被せ、その際回転体５０の軸部５３をカバー１３０の軸支部１３５に挿入する。カバー１３０の上面板１３１をケース１０の上面に当接し、その際クリック板１００の両端部分はケース１０のクリック板挿入部１９内に収納され、またケース１０の係止部１７はカバー１３０の挿入係止部１３７に挿入され位置決めされる。またこのときカバー１３０の両側面板１３３，１３３はケース１０の対向する両外周側面にぴったり当接してこれらを覆う。そしてカバー１３０の各ケース取付部１４３の先端部分をケース１０の下面に折り曲げてカバー１３０とケース１０とを一体化すれば、回転式電子部品１が完成する。なお上記組立手順はその一例であり、他の各種異なる組立手順を用いて組み立てても良いことはいうまでもない。
【００３２】
そして回転体５０を回転すれば、摺動子８０がフレキシブル回路基板３０の摺接パターン３１上を摺動し、各端子板４５間の電気的出力が変化する。回転体５０の回転は、回転体５０のストッパ部５８がカバー１３０のストッパ当接部１３８に当接することで制限される。
【００３３】
以上説明したようにこの回転式電子部品１は、回転体収納凹部１３を有するケース１０と、ケース１０の回転体収納凹部１３内に収納される回転体本体部５１の上面から軸部５３を突出してなる回転体５０と、回転体本体部５１を収納したケース１０の上部を覆うカバー１３０と、ケース１０の回転体収納凹部１３の内底面（この例ではケース１０にインサート成形したフレキシブル回路基板３０の表面）と回転体本体部５１の間に設置され回転体本体部５１の回転によって出力（電気的出力）を変化する検出手段（摺動子８０と摺接パターン３１）とを具備し、カバー１３０を、回転体５０の軸部５３を回動自在に軸支する軸支部１３５を設けてなる上面板１３１と、上面板１３１の外周辺の部分を下方に折り曲げて形成される互いに対向する一対の側面板１３３とを具備して構成し、一方ケース１０の回転体収納凹部１３の周囲に設けた側壁部１５の内、カバー１３０の一対の側面板１３３に覆われる一対の側壁部１５の回転体本体部５１の外周面に対向する位置に、側壁部１５を貫通する側壁貫通部２３を設けている。
【００３４】
そしてこの回転式電子部品１は上記構成、即ちケース１０の一対の側壁部１５に側壁貫通部２３を設けたので、これに対向している回転体本体部５１の外径寸法をその分大きくでき、ケース１０の回転体収納凹部１３の内底面と回転体本体部５１の間の検出手段（摺接パターン３１と摺動子８０）を配置する空間を広くでき、検出手段の機能をより高度化・複雑化することができる。即ちケース１０の回転体収納凹部１３の底面に設ける摺接パターン３１と、回転体本体部５１の下面に取り付けて摺接パターン３１に摺接する摺動子８０とによって検出手段を構成した場合、摺接パターン３１の形成面を大きくすることができ、同時に外径寸法を大きくした回転体本体部５１の下面に取り付ける摺動子８０の外径寸法も大きくでき、その分摺接パターン３１からの出力（電気的出力）の分解能を向上させることができ、また同心円状の複数本の摺接パターン３１の本数をこの例のように増加させる（４本にする）ことも可能になる。逆に言い換えれば、回転式電子部品１の小型化が図れる。
【００３５】
またこの回転式電子部品１によれば、カバー１３０の一対の側面板１３３のケース１０の側壁貫通部２３を覆う位置に、これら側面板１３３の一部を外方向に向けて突出変形させることで回転体本体部逃げ部１４７を形成している。このようにケース１０の一対の側壁部１５に側壁貫通部２３を設けた上に、さらにカバー１３０の側面板１３３に回転体本体部逃げ部１４７を形成したので、回転体本体部５１の外径寸法をさらに大きくでき、ケース１０の回転体収納凹部１３の内底面と回転体本体部５１の間の検出手段を配置する空間をさらに広くでき、検出手段の機能をさらに高度化・複雑化することができる。逆に言い換えれば、回転式電子部品１のさらなる小型化が図れる。さらにこの回転体本体部逃げ部１４７は側面板１３３を覆っているので（貫通孔ではないので）、端子板４５を図示しない回路基板に半田付けする場合に半田のフラックスがこの回転体本体部逃げ部１４７からカバー１３０の内部に入り込まないばかりか、側面板１３３自体の強度を強く維持できてカバー１３０に設けた他部材取付部１４１のバネ性を強く維持できる。
【００３６】
またこの回転式電子部品１は、回転体本体部５１の外周のケース載置部５５を、ケース１０の回転体収納凹部１３の周囲に設けた回転体載置部２５上に載置することで、ケース１０の回転体収納凹部１３の内底面に対向する回転体本体部５１の面全体をこの内底面から離間して設置している。これによって回転体５０はカバー１３０に設けた軸支部１３５の部分のみで軸支されるので、回転体５０を２か所で軸支する場合に生じる回転体回転時のトルクムラを防止できる。また検出手段の近傍部分で合成樹脂同士が摺接することがないので、静電気が検出手段へ侵入せず、ノイズの発生を防止できる。また回転体本体部５１のケース載置部５５を、ケース１０の回転体載置部２５上に載置するので、回転体５０をその上側から押圧した時の押圧破壊防止強度を容易に強く維持することができる。
【００３７】
またこの回転式電子部品１は、成形樹脂製の回転体５０の軸部５３の少なくともカバー１３０の軸支部１３５によって軸支されている内部の部分を中空（横断面リング形状）としたので、軸部５３の横断面における各部の厚みを全周にわたってほぼ均等に薄くすることができる。このため金型による回転体５０の成型時に、加熱溶融した合成樹脂が金型内で収縮する際の収縮量を小さくすることができ、同時に各部の収縮量を均等にすることができる。このため軸部５３の表面が硬化時に縮むことによって生じる凹み（いわゆる「ヒケ」）を防止でき、軸真円度を向上することができる。これによって回転体５０の回転時のトルクムラを防止できる。また回転体５０の回転時のトルクを最適なトルクに維持でき、回転しにくくなったり、逆にがたつきが生じたりすることも防止できる。
【００３８】
またこの回転式電子部品１は、帯状（直線状）のクリック板１００をカバー１３０の上面板１３１の側面板１３３，１３３を設けていない一辺に沿うようにこの一辺側の下面に設置し、従来のようにクリック板をリング状に形成して軸部５３を囲むように設置していないので、側面板１３３，１３３間の幅寸法が小さくなっても、クリック板１００を設置することを原因として回転体本体部５１のカバー当接部５７の直径を小さくする必要はなくなり、カバー当接部５７の幅寸法Ｌ２を大きく保てる。カバー当接部５７はカバー１３０の上面板１３１の下面に当接して回転体５０の上方向への抜けを防止する部分なので、上記構成によって回転体５０の抜け防止強度を強く維持できる。また側面板１３３，１３３間の幅寸法が小さくなってもクリック板１００の幅寸法を小さくする必要がないので、クリック板１００の強度を強く保てる。
【００３９】
またこの回転式電子部品１は、カバー１３０が金属製であり、一方回転体本体部５１上面の軸部５３を突出した周囲に、カバー１３０の上面板１３１の下面の軸支部１３５の周囲に当接するカバー当接部５７を設け、さらにカバー１３０の上面板１３１の下面に、回転体本体部５１のケース載置部５５の上面に形成したクリック部５９に弾接してクリック感触を生ずる金属製のクリック板１００を設置している。このように金属製のクリック板１００を金属製のカバー１３０に電気的に接続した状態で取り付けるので、クリック板１００の近傍に位置している、回転体５０のケース載置部５５とケース１０の回転体載置部２５との間の摺動部分によって生じる静電気はクリック板１００に入り込み易くなる。このため静電気が検出手段へ侵入することをさらに確実に防止でき、ノイズの発生をさらに確実に予防できる。
【００４０】
図８は回転式電子部品１に用いる他の参考例にかかるカバー１３０−２の斜視図である。同図において前記カバー１３０と同一部分には同一符号（但し符号「−２」を付する）を付してその詳細な説明は省略する。同図に示すカバー１３０−２において前記カバー１３０と相違する点は回転体本体部逃げ部１４７−２の部分の構造のみである。即ちカバー１３０−２の回転体本体部逃げ部１４７−２は、側面板１３３−２の一部（ケース１０の側壁貫通部２３に対向する部分）に略矩形状の貫通孔を設けることで形成されている。
【００４１】
図９は回転式電子部品１に用いるさらに他の参考例にかかるカバー１３０−３の斜視図である。同図において前記カバー１３０と同一部分には同一符号（但し符号「−３」を付する）を付してその詳細な説明は省略する。同図に示すカバー１３０−３において前記カバー１３０と相違する点は回転体本体部逃げ部１４７を形成していない点のみである。
【００４２】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば上記実施形態ではケース１０にインサート成形する回路基板としてフレキシブル回路基板３０を用いたが、フレキシブル回路基板３０の代りに硬質の回路基板を用いても良い。またケース１０に回路基板をインサート成形する代わりに、金属板をその表面がケース１０の回転体収納凹部１３の内底面に露出するようにインサート成形し、金属板の表面を直接摺接パターンとしても良い。また検出手段は上記構造に限られず、例えばケース１０側に摺動子を固定し、回転体５０側に摺動子が摺接する摺接パターンを形成する構造等でも良く、また磁気的な検出手段や電気容量的な検出手段や光学的な検出手段などでもよい。要は回転体５０の回転によって出力を変化する検出手段であればどのような構造であっても良い。また端子板４５は必ずしも設置しなくても良い。
【００４３】
また前記回転式電子部品１のカバー１３０において、側面板１３３の折り曲げを容易にするためにスリット状の開口部１４５を設けているが、この開口部１４５は省略してもよい。
【００４４】
また上記例では、クリック板１００を直線状の帯状としたが、曲線状（例えば円弧状）の帯状としても良く、要は帯状であってカバー１３０の上面板１３１の側面板１３３，１３３を設けていない一辺側の下面に設置できる形状・寸法であればよい。
【００４５】
また上記例では、回転体５０の軸部５３のカバー１３０の軸支部１３５によって軸支されている内部の部分に横断面円形の中空部６７を設けることで横断面リング形状に形成したが、中空部６７の形状は図１２（ａ）に示すこの実施形態のように、その横断面が円形のものに限られず、図１２（ｂ），（ｃ），（ｄ）に示すように、その横断面が四角形状，五角形状，六角形状等の多角形状等、他の各種形状でも良く、要は横断面リング形状となるものであればどのような形状であっても良い。
【００４６】
また前記回転式電子部品１のケース１０に設ける側壁貫通部２３は、側壁部１５の上辺を凹状に凹ませることで構成しているが、凹部の代わりに貫通口で構成してもよい。即ち要は側壁貫通部２３は、カバー１３０の一対の側面板１３３に覆われる一対の側壁部１５の回転体本体部５１の外周面に対向する位置に設けられ、且つ側壁部１５を貫通するものであれば、凹部でも貫通孔でもその他のどのような形状・構造であっても良い。
【符号の説明】
【００４７】
１  回転式電子部品
１０  ケース
１３  回転体収納凹部
１５  側壁部
２３  側壁貫通部
２５  回転体載置部
３１  摺接パターン（検出手段）
５０  回転体
５１  回転体本体部
５３  軸部
５５  ケース載置部
５７  カバー当接部
５９  クリック部
６７  中空部
８０  摺動子（検出手段）
１００  クリック板
１３０  カバー
１３１  上面板
１３３  側面板
１３５  軸支部
１４７  回転体本体部逃げ部
１４７−２  回転体本体部逃げ部
【図１】
0005628659.tif 000002
【図２】
0005628659.tif 000003
【図３】
0005628659.tif 000004
【図４】
0005628659.tif 000005
【図５】
0005628659.tif 000006
【図６】
0005628659.tif 000007
【図７】
0005628659.tif 000008
【図８】
0005628659.tif 000009
【図９】
0005628659.tif 000010
【図１０】
0005628659.tif 000011
【図１１】
0005628659.tif 000012
【図１２】
0005628659.tif 000013